(57)【要約】      （修正有）【課題】両端の機能が異なり、化粧液の排出流量を制御できる化粧筆を提供する。【解決手段】第１収容空間１１と第２収容空間とを有するチューブと、第１収容空間と連接する第１伝動組２と、第１化粧液排出組と、第２収容空間と連接する第２伝動組と、第２化粧液排出組とを含む。第１伝動組は、第１中ブッシュ２３と、第１回転リング２１と第１ねじチューブ２５と、それらの回転により移動可能な第１ピストン２７とを備える。第１化粧液排出組は、第１中ブッシュの内部に嵌められる内部プラグ３１と、シャフト３２と、第１化粧液排出ヘッド３３とを備える。第２化粧液排出組は、第２中ブッシュの内部に嵌められる針台と、中空針と、第２化粧液排出ヘッドと、化粧液排出蓋とを備える。【選択図】図４
0003173139.tif 000002
【実用新案登録請求の範囲】
【請求項１】
第１収容空間と、第２収容空間と、を有し、前記第１収容空間と前記第２収容空間との開口がそれぞれその両端に位置するチューブと、
前記第１収容空間と連接し、第１中ブッシュに設けられる第１回転リングと、第１ねじチューブと、第１ピストンと、を含み、前記第１回転リングが前記第１ねじチューブの一端に嵌め設けられ、前記第１ピストンが前記第１ねじチューブの他端に螺着され、前記第１中ブッシュが回転しているときに、前記第１回転リングが回転し、そして前記第１ねじチューブも駆動されて回転し、前記第１収容空間において、前記第１ピストンが前記第１収容空間の軸方向に沿って移動可能である第１伝動組と、
内部プラグと、シャフトと、第１化粧液排出ヘッドと、を含み、前記内部プラグは、前記第１中ブッシュの内部に嵌め設けられ、その底部に化粧液排出穴が設けられ、前記内部プラグにおいて、前記シャフトが前記内部プラグの軸方向に沿って移動可能であり、前記化粧液排出穴は、前記シャフトと連通し、又は連通しないことができ、前記第１化粧液排出ヘッドは前記シャフトから延びる構成であり、前記第１化粧液排出ヘッドには、玉、ローラ、又はブラシが設けられ、前記シャフトが第１外蓋に被られ可能である第１化粧液排出組と、
前記第２収容空間と連接し、第２中ブッシュに設けられる第２回転リングと、第２ねじチューブと、第２ピストンと、を含み、前記第２回転リングが前記第２ねじチューブの一端に嵌め設けられ、前記第２ピストンが前記第２ねじチューブの他端に螺着され、前記第２中ブッシュが回転しているときに、前記第２回転リングが回転し、そして前記第２ねじチューブも駆動されて回転し、前記第２収容空間において、前記第２ピストンが前記第２収容空間の軸方向に沿って移動可能である第２伝動組と、
針台と、中空針と、第２化粧液排出ヘッドと、化粧液排出蓋と、を含み、前記針台が前記第２中ブッシュの内部に嵌め設けられ、前記第２化粧液排出ヘッドは前記中空針を介して前記針台に固定され、前記針台と前記中空針とは前記第２ねじチューブと連通し、前記化粧液排出蓋は、前記第２中ブッシュの上縁に係止され、前記第２化粧液排出ヘッドを定位し、前記第２中ブッシュが第２外蓋に被られ可能である第２化粧液排出組と、
を含むことを特徴とする化粧筆。
【請求項２】
前記第１中ブッシュの中段に第１歯付き周面が設けられ、前記第１回転リングの周面には、前記第１中ブッシュの前記第１歯付き周面と噛合う第１外歯部が設けられ、前記第１中ブッシュ内に前記第１回転リングが規制され、前記第２中ブッシュの中段に第２歯付き周面が設けられ、前記第２回転リングの周面には、前記第２中ブッシュの前記第２歯付き周面と噛合う第２外歯部が設けられ、前記第２中ブッシュ内に前記第２回転リングが規制されることを特徴とする、請求項１に記載の化粧筆。
【請求項３】
前記第１回転リングの前記第１外歯部から遠ざかった箇所に第１歯止め部が設けられ、前記チューブの前記第１収容空間の前記開口に第１止め部が配され、前記第１歯止め部が前記第１止め部と噛合い、前記第２回転リングの前記第２外歯部から遠ざかった箇所に第２歯止め部が設けられ、前記チューブの前記第２収容空間の前記開口に第２止め部が配され、前記第２歯止め部が前記第２止め部と噛合うことを特徴とする、請求項１に記載の化粧筆。
【考案の詳細な説明】
【技術分野】
【０００１】
本考案は、化粧用品に関し、特に、両端の機能が異なり、体積を減少でき、生産コストを減少でき、化粧液の無駄な消費を減少できる化粧筆に関するものである。
【背景技術】
【０００２】
用途によって、化粧筆は、唇ペン、アイライナーや斑被せクリームなどに分けられ、そして同じ用途であっても、色々の色系があるため、ユーザは、異なる用途、又は異なる色系の化粧筆をそれぞれ購入して利用することが必要である。そうすると、ユーザにとって、化粧筆の利用は極めて不便である。
【考案の概要】
【考案が解決しようとする課題】
【０００３】
本考案の主な目的は、利用可能の用途を増加できる化粧筆を提供することにある。
【０００４】
本考案の次の目的は、化粧液の排出流量を制御でき、そしてユーザの無理の回転による化粧筆の損壊を防止できる化粧筆を提供することにある。
【０００５】
本考案の別の目的は、化粧液の漏れ出しを回避できる化粧筆を提供することにある。
【課題を解決するための手段】
【０００６】
本考案の化粧筆によると、第１収容空間と、第２収容空間と、を有し、第１収容空間と第２収容空間との開口がそれぞれその両端に位置するチューブと、
第１収容空間と連接し、第１中ブッシュに設けられる第１回転リングと、第１ねじチューブと、第１ピストンと、を含み、第１回転リングが第１ねじチューブの一端に嵌め設けられ、第１ピストンが第１ねじチューブの他端に螺着され、第１中ブッシュが回転しているときに、第１回転リングが回転し、そして第１ねじチューブも駆動されて回転し、第１収容空間において、第１ピストンが第１収容空間の軸方向に沿って移動可能である第１伝動組と、
内部プラグと、シャフトと、第１化粧液排出ヘッドと、を含み、内部プラグは、第１中ブッシュの内部に嵌め設けられ、その底部に化粧液排出穴が設けられ、内部プラグにおいて、シャフトが内部プラグの軸方向に沿って移動可能であり、化粧液排出穴は、シャフトと連通し、又は連通しないことができ、第１化粧液排出ヘッドはシャフトから延びる構成であり、第１化粧液排出ヘッドには、玉、ローラ、又はブラシが設けられ、シャフトが第１外蓋に被られ可能である第１化粧液排出組と、
第２収容空間と連接し、第２中ブッシュに設けられる第２回転リングと、第２ねじチューブと、第２ピストンと、を含み、第２回転リングが第２ねじチューブの一端に嵌め設けられ、第２ピストンが第２ねじチューブの他端に螺着され、第２中ブッシュが回転しているときに、第２回転リングが回転し、そして第２ねじチューブも駆動されて回転し、第２収容空間において、第２ピストンが第２収容空間の軸方向に沿って移動可能である第２伝動組と、
針台と、中空針と、第２化粧液排出ヘッドと、化粧液排出蓋と、を含み、針台が第２中ブッシュの内部に嵌め設けられ、第２化粧液排出ヘッドは中空針を介して針台に固定され、針台と中空針とは第２ねじチューブと連通し、化粧液排出蓋は、第２中ブッシュの上縁に係止され、第２化粧液排出ヘッドを定位し、第２中ブッシュが第２外蓋に被られ可能である第２化粧液排出組と、
を含むことを特徴とする。
【０００７】
本考案の化粧筆によると、第１中ブッシュの中段に第１歯付き周面が設けられ、第１回転リングの周面には、第１中ブッシュの第１歯付き周面と噛合う第１外歯部が設けられ、第１中ブッシュ内に第１回転リングが規制され、第２中ブッシュの中段に第２歯付き周面が設けられ、第２回転リングの周面には、第２中ブッシュの第２歯付き周面と噛合う第２外歯部が設けられ、第２中ブッシュ内に第２回転リングが規制されることを特徴とする。
【０００８】
本考案の化粧筆によると、第１回転リングの第１外歯部から遠ざかった箇所に第１歯止め部が設けられ、チューブの第１収容空間の開口に第１止め部が配され、第１歯止め部が第１止め部と噛合い、第２回転リングの第２外歯部から遠ざかった箇所に第２歯止め部が設けられ、チューブの第２収容空間の開口に第２止め部が配され、第２歯止め部が第２止め部と噛合うことを特徴とする。
【考案の効果】
【０００９】
本考案の化粧筆によれば、次のような効果がある。
（１）本考案のチューブが二つの収容空間を有し、収容空間に異なる化粧液をそれぞれ充填することができる。化粧筆のヘッドに、玉、ローラ、又はブラシなどを組付けることができる。これにより、一つの化粧筆の利用できる用途を増加することができる。
【００１０】
（２）回転リングの歯止め部と外歯部の組合により、化粧液の排出流量を制御でき、そしてユーザの無理の回転による化粧筆の損壊を防止できる。
【００１１】
（３）本考案の化粧筆の一端には、内部プラグにシャフトが嵌め設けられている。シャフトの位置を切替えることにより、内部プラグの化粧液排出穴とシャフトの連通状態を切替えることができる。これにより、化粧液の漏れ出しを回避できる。
【図面の簡単な説明】
【００１２】
【図１】本考案の一実施例の組合済み状態を示す斜視図である。
【図２】本考案の一実施例を示す分解斜視図である。
【図３】本考案の第１化粧液排出組に玉が組み付けられている状態を示す断面図である。
【図４】本考案の第１化粧液排出組に玉が組み付けられており、化粧液が排出されている状態を示す模式図である。
【図５】本考案の第２化粧液排出組を示す断面図である。
【図６】本考案の第２化粧液排出組の化粧液が排出されている状態を示す模式図である。
【考案を実施するための最良の形態】
【００１３】
以下、本考案の実施の形態を図面に基づいて説明する。
まず、図１乃至図８を参照する。本考案の一実施例の化粧筆は、チューブ１と、第１伝動組２と、第１化粧液排出組３と、第２伝動組５と、第２化粧液排出組６と、を含む。
【００１４】
チューブ１は、化粧液を収容する、第１収容空間１１と、第２収容空間１２と、を有し、第１収容空間１１と第２収容空間１２との開口がそれぞれチューブ１の両端に位置する。
【００１５】
第１伝動組２は、第１収容空間１１と連接し、第１中ブッシュ２３に設けられる第１回転リング２１と、第１ねじチューブ２５と、第１ピストン２７と、を含む。第１中ブッシュ２３の中段に第１歯付き周面２３１が設けられる。第１回転リング２１の周面には、第１中ブッシュ２３の第１歯付き周面２３１と噛合う第１外歯部２１１が設けられる。これにより、第１中ブッシュ２３内に第１回転リング２１が規制される。第１回転リング２１は第１ねじチューブ２５の一端に嵌め設けられる。第１ピストン２７は第１ねじチューブ２５の他端に螺着される。第１中ブッシュ２３が回転しているときに、第１回転リング２１が回転し、そして第１ねじチューブ２５も駆動されて回転し、第１収容空間１１において、第１ピストン２７が第１収容空間１１の軸方向に沿って移動可能である。第１ピストン２７の下縁に第１密封プラグ２７１が設けられ、これにより、密封効果を増加することができる。第１回転リング２１の第１外歯部２１１から遠ざかった箇所に第１歯止め部２１２が設けられる。チューブ１の第１収容空間１１の開口に第１止め部１１１が配される。第１歯止め部２１２は第１止め部１１１と噛合う。このように、第１回転リング２１はチューブ１に対して一方向だけ回転可能である。
【００１６】
第１化粧液排出組３は、内部プラグ３１と、シャフト３２と、第１化粧液排出ヘッド３３と、を含む。内部プラグ３１は、第１中ブッシュ２３の内部に嵌め設けられ、その底部に化粧液排出穴３１０が設けられる。内部プラグ３１において、シャフト３２は内部プラグ３１の軸方向に沿って移動可能である。内部プラグ３１の底端に突出台３１１が設けられる。これにより、シャフト３２の底部の内周面と突出台３１１を合せると、両者が緊迫状態となり、化粧液排出穴３１０がシャフト３２と連通しない状態となる。内部プラグ３１の上縁に環状突起３１２が設けられる。環状突起３１２とシャフト３２の係止具３２１を合せると、シャフト３２が引き上げられる場合には、係止具３２１が環状突起３１２に係られる。これにより、シャフト３２の脱出を回避できる。第１化粧液排出ヘッド３３に、玉３３１、ローラ、又はブラシを設けることができる。シャフト３２は第１外蓋４０に被られる。シャフト３２には、第１外蓋４０の緊迫面４１に合せられるパッキン３２２が設けられる。このように、シャフト３２が第１外蓋４０に被られるときには、パッキン３２２が緊迫面４１に緊迫される。この緊迫による引き力により、第１外蓋４０を取り外すと、シャフト３２が上昇する。
【００１７】
第２伝動組５は、第１収容空間１２と連接し、第２中ブッシュ５３に設けられる第２回転リング５１と、第２ねじチューブ５５と、第２ピストン５７と、を含む。第２中ブッシュ５３の中段に第２歯付き周面５３１が設けられる。第２回転リング５１の周面には、第２中ブッシュ５３の第２歯付き周面５３１と噛合う第２外歯部５１１が設けられる。これにより、第２中ブッシュ５３内に第２回転リング５１が規制される。第２回転リング５１は第２ねじチューブ５５の一端に嵌め設けられる。第２ピストン５７は第２ねじチューブ５５の他端に螺着される。第２中ブッシュ５３が回転しているときに、第２回転リング５１が回転し、そして第２ねじチューブ５５も駆動されて回転し、第２収容空間１２において、第２ピストン５７が第２収容空間１２の軸方向に沿って移動可能である。第２ピストン５７の下縁に第２密封プラグ５７１が設けられ、これにより、密封効果を増加することができる。第２回転リング５１の第１外歯部５１１から遠ざかった箇所に第２歯止め部５１２が設けられる。チューブ１の第２収容空間１２の開口に第２止め部１２１が配される。第２歯止め部５１２は第２止め部１２１と噛合う。このように、第２回転リング５１はチューブ１に対して一方向だけ回転可能である。
【００１８】
第２化粧液排出組６は、針台６１と、中空針６２と、第２化粧液排出ヘッド６３と、化粧液排出蓋６４と、を含む。針台６１の一端に凸縁６１１が設けられる。針台６１は、凸縁６１１を介して第２中ブッシュ５３の内周面に当接する。針台６１の底部の中心に化粧液排出通路６１３が設けられる。中空針６２は、化粧液排出通路６１３に挿入されて化粧液排出通路６１３と連通する。第２化粧液排出ヘッド６３は針台６１に固定される。針台６１の化粧液排出通路６１３は中空針６２及び第２ねじチューブ５５と連通する。化粧液排出蓋６４は、第２中ブッシュ５３の上縁に係止され、第２化粧液排出ヘッド６３を定位する。第２中ブッシュ５３は第２外蓋７０に被られる。
【００１９】
図２乃至図４を参照する。ユーザが第１外蓋４０を取り外すと、シャフト３２が引き上げられ、このとき、シャフト３２の底部が突出台３１１から離れて、係止具３２１が環状突起３１２と当接して係止される。これにより、化粧液排出穴３１０はシャフト３２と連通する。ユーザが第１中ブッシュ２３を回転しているときには、第１回転リング２１が回転し、そして第１ねじチューブ２５も駆動されて回転し、第１ピストン２７が下に移動されて、第１収容空間１１内の化粧液は、第１ねじチューブ２５に流入して、化粧液排出穴３１０から流出してシャフト３２に進入して、第１化粧液排出ヘッド３３から流出する。このように、ユーザは第１収容空間１１内の化粧液を利用できる。第１中ブッシュ２３は、第１回転リング２１の第１歯止め部２１２を介してチューブ１の第１止め部１１１と噛合うため、チューブ１に対して一方向だけ回転可能である。一定の力で、ユーザは第１中ブッシュ２３を反転できないため、第１収容空間１１内の化粧液の流量を制御できる。化粧筆を利用したくないときには、ユーザが第１外蓋４０を被ったと、シャフト３２が第１外蓋４０に押えられて本来の位置に戻る。このとき、シャフト３２の底部が突出台３１１を緊迫して、化粧液排出穴３１０がシャフト３２と連通しなくなる。このように、化粧液の漏れ出しを回避することができる。また、第２外蓋７０を取り外すと、ユーザが第２中ブッシュ５３を回転しているときには、第２回転リング５１が回転し、そして第２ねじチューブ５５も駆動されて回転し、第２ピストン５７が下に移動されて、第２収容空間１２内の化粧液は、第２ねじチューブ５５に流入して、針台６１と中空針６２とに進入して、第２化粧液排出ヘッド６３から流出する。このように、ユーザは第２収容空間１２内の化粧液を利用できる。第２中ブッシュ５３は、第２回転リング５１の第２歯止め部５１２を介してチューブ１の第２止め部１２１と噛合うため、チューブ１に対して一方向だけ回転可能である。一定の力で、ユーザは第２中ブッシュ５３を反転できないため、第２収容空間１２内の化粧液の流量を制御できる。化粧筆を利用したくないときには、ユーザが第２外蓋７０を被るだけで済む。
【符号の説明】
【００２０】
１：チューブ
２：第１伝動組
３：第１化粧液排出組
５：第２伝動組
６：第２化粧液排出組
１１：第１収容空間
１２：第２収容空間
２１：第１回転リング
２３：第１中ブッシュ
２５：第１ねじチューブ
２７：第１ピストン
３１：内部プラグ
３２：シャフト
３３：第１化粧液排出ヘッド
４０：第１外蓋
４１：緊迫面
５１：第２回転リング
５３：第２中ブッシュ
５５：第２ねじチューブ
５７：第２ピストン
６１：針台
６２：中空針
６３：第２化粧液排出ヘッド
６４：化粧液排出蓋
７０：第２外蓋
１１１：第１止め部
１２１：第２止め部
２１１：第１外歯部
２１２：第１歯止め部
２３１：第１歯付き周面
２７１：第１密封プラグ
３１０：化粧液排出穴
３１１：突出台
３１２：環状突起
３２１：係止具
３２２：パッキン
３３１：玉
５１１：第２外歯部
５１２：第２歯止め部
５３１：第２歯付き周面
５７１：第２密封プラグ
６１１：凸縁
６１３：化粧液排出通路
【産業上の利用可能性】
【００２１】
本考案は、化粧筆に適用することができる。
【図１】
0003173139.tif 000003
【図２】
0003173139.tif 000004
【図３】
0003173139.tif 000005
【図４】
0003173139.tif 000006
【図５】
0003173139.tif 000007
【図６】
0003173139.tif 000008